(57)【特許請求の範囲】
【請求項１】
内部に少なくとも遮断器、断路器および接地装置を有する開閉装置の扉に固定され、収納物を収納する開閉装置の収納箱であって、
前記扉に形成された穴の周縁部に穴を覆うようにして扉の裏側から固定されているとともに、両側面に被係合部が設けられている内箱と、
前記扉の表面側に設けられ、案内部および鈎部を有するとともに前記被係合部に係合する係合部を含む外箱とを備え、
前記外箱の自重および前記係合部の前記案内部の前記被係合部に対する係合により、前記外箱が前記内箱の前面を覆って閉じた状態が維持され、また前記鈎部の前記被係合部に対する係合により、前記外箱が前記内箱に対して傾いて開いた状態が維持されるようになっている開閉装置の収納箱。
【請求項２】
被係合部は突出した支持ピンであり、係合部はこの支持ピンと当接する爪部である請求項１に記載の開閉装置の収納箱。
【請求項３】
鈎部は、爪部の端部に形成され、支持ピンで係止される請求項２に記載の開閉装置の収納箱。
【請求項４】
外箱と爪部とは同一金属板で一体的に形成されている請求項２または請求項３に記載の開閉装置の収納箱。
【発明の詳細な説明】
【０００１】
【発明の属する技術分野】
この発明は，開閉装置の工具や資料等を収納する開閉装置の収納箱に関するものである。
【０００２】
【従来の技術】
図１２は特開平９−６７００１号公報に示された収納箱の斜視図、図１３は図１２の収納箱の側面図である。
この収納箱は、収納箱の骨格を構成する複数本の基本フレーム１０１と、縦に延びた基本フレーム１０１の頂部に取り付けられた天板１０２と、基本フレーム１０１で囲まれ収納物を収納する箱本体１０３と、箱本体１０３に収納される収納物の投入口１０４と、前側の基本フレーム１０１に回動可能に取り付けられ箱本体１０３を起立状態でロックする開閉金具１０５と、前側の一対の基本フレーム１０１間を連結したアングル１０８と、このアングル１０８の両端部に取り付けられたＬ字形状のストッパ１０７とを備えている。箱本体１０３の両側底辺部には、支点ピン１０６が設けられており、この支点ピン１０６が底辺部の左右両側の基本フレーム１０１にそれぞれ形成されたピン穴（図示せず）に回動自在に挿入されている。
【０００３】
上記構成の収納箱では、基本フレーム１０１内に配設された箱本体１０３が支点ピン１０６を中心に基本フレーム１０１の前方向に所定角度まで回動し、箱本体１０３の前側の下辺がストッパ１０７に係止して箱本体１０３の開口状態が維持される。
また、Ｌの字形状の開閉金具１０５を９０度回動して、箱本体１０３の上隅部を押さえることで、箱本体１０３の起立状態（箱本体１０３が閉口状態）が維持される。
【０００４】
【発明が解決しようとする課題】
上記構成の収納箱では、収納物を収納した箱本体１０３自体を前方向に所定角度回動して箱本体１０３の開口状態が維持され、収納物の取り出しが行われており、収納箱の奥行きが大きくならざるを得ない。
また、箱本体１０３を開口状態で維持するためには、ストッパ１０７が必要であり、また箱本体１０３を閉口状態で維持するためには、開閉金具１０５が必要となる。
【０００５】
従って、遮断器、断路器、接地装置等を収納する開閉装置において、工具や資料等を収納する収納箱として上記収納箱を組み入れようとした場合、開閉装置自体が大きくならざるを得ないという問題点があった。
また、箱本体の開口状態および閉口状態をそれぞれ維持する各部材は外部に露出しており、美観上においても問題点があった。
【０００６】
この発明は、上記問題点を解決することを課題とするものであって、開閉装置自体を特に大きくすることなく、開閉装置に収納箱を組み入れることができ、また開閉状態をそれぞれ維持する各部材は外部に露出することなく美観上優れた開閉装置の収納箱を得ることを目的とするものである。
【０００７】
【課題を解決するための手段】
この発明の開閉装置の収納箱は、扉に形成された穴の周縁部に穴を覆うようにして扉の裏側から固定されているとともに、両側面に被係合部が設けられている内箱と、前記扉の表面側に設けられ、案内部および鈎部を有するとともに前記被係合部に係合する係合部を含む外箱とを備え、前記外箱の自重および前記係合部の前記案内部の前記被係合部に対する係合により、前記外箱が前記内箱の前面を覆って閉じた状態が維持され、また前記鈎部の前記被係合部に対する係合により、前記外箱が前記内箱に対して傾いて開いた状態が維持されるようになっている。
【０００８】
また、被係合部は突出した支持ピンであり、係合部はこの支持ピンと当接する爪部である。
【０００９】
また、鈎部は、爪部の端部に形成され、支持ピンで係止される。
【００１０】
また、外箱と爪部とは同一金属板で一体的に形成されている。
【００１１】
【発明の実施の形態】
実施の形態１．
以下、この発明の実施の形態について説明する。
図１は遮断器、断路器、接地装置等を収納する開閉装置の正面図、図２は図１の開閉装置の側断面図である。
この開閉装置では、それぞれの部屋を開閉する全体で９枚の扉５が回動可能に取り付けられている。それぞれの部屋には、ケーブル１１、遮断器１２、断路器１３等が収納されている。このうち、右隅のケーブル１１を収納したケーブル室１０の前面の扉５には、開閉装置の工具や資料等を収納する収納箱が取り付けられている。この収納箱は、外箱１と内箱２とから構成されている。
【００１２】
図３は外箱１の斜視図、図４は内箱２の斜視図である。外箱１および内箱２が取り付けられる扉５には、図５に示すように穴１４が形成されている。この穴１４の周縁部には４箇所のリベット穴１５が形成されている。内箱２にも４箇所にリベット穴１６が形成されており、扉５の裏面で内箱２がリベット穴１５、１６にリベット（図示せず）が貫通して固定されている。
内箱２の両側面には、被係合部である支持ピン４が設けられている。一方、外箱１の下部の両側には一対の係合部である爪部３が設けられている。この爪部３が支持ピン４に係合して外箱１は内箱２で支持されている。
なお、外箱１と爪部３とは同一金属板で一体的に形成されている。
【００１３】
図６はケーブル室１０の前面に開閉可能に取り付けられた扉５の正面図、図７は図６の扉５の収納箱が閉じた状態の側断面図、図８は図６の扉５の収納箱が開いた状態の側断面図である。また、図９ないし図１１は収納箱の外箱１の回動に伴い移動する爪部３の様子を示す図である。
【００１４】
収納箱が図７に示すように閉じられているときには、外箱１は、図９に示すように爪部３の案内部３ａの上部が支持ピン４に当接している。このときには、支持ピン４から外箱１に作用する力のベクトルは垂直方向と水平方向に分解され、垂直方向のベクトルは外箱１が自重で下向きに移動するのを防止し、水平方向のベクトルは外箱１が支点Ａを中心に反時計方向に回動するのを防止している。
図１０は外箱１が支点Ａを中心に反時計方向に回動している途中を示しており、爪部３の案内部３ａの中間部が支持ピン４に当接している。このときは、図９と比較して、支持ピン４から外箱１に作用する力のうち水平方向のベクトルは小さくなり、それだけ支点Ａを中心に反時計方向に回動するのを阻止する力は小さい。
図１１は爪部３の鈎部３ｂに支持ピン４が当接しており、これ以上外箱１が支点Ａを中心に反時計方向に回動するのが阻止されており、収納箱は図８に示すように開いた状態が維持される。
なお、図９、１０および１１に示すように、支点Ａは、最初は、上方向に上がり、外箱１が開くにつれて支点Ａが下に下がるようになっている。
【００１５】
上記構成の開閉装置の収納箱は、閉じた状態のときには、外箱１の自重および爪部３の支持ピン４に対する係合により、外箱１が内箱２の前面を覆って閉じた状態が維持されている。
また、収納箱が開いた状態のときには、爪部３の鈎部３ｂに支持ピン４が当接しており、外箱１が内箱２に対して所定の角度傾いて開いた状態が維持されている。
また、爪部３および支持ピン４は扉５の内側にあり、外観上優れている。
また、外箱１は、内箱２の支持ピン４に係止しているだけなので、外箱１は容易に取り外すことができる。
【００１６】
なお、上記の実施の形態では、係合部として外箱に爪部を設け、被係合部として内箱に支持ピンを設けたが、勿論このものに限定されない。例えば、内箱の両側面に案内溝を形成し、この案内溝に係合するピンを外箱に設けるようにしてもよい。
【００１７】
【発明の効果】
以上説明したように、この発明の開閉装置の収納箱によれば、扉に形成された穴の周縁部に穴を覆うようにして扉の裏側から固定されているとともに、両側面に被係合部が設けられている内箱と、前記扉の表面側に設けられ前記被係合部に係合する係合部を有する外箱とを備え、前記外箱の自重および前記係合部の前記被係合部に対する係合により、前記外箱が前記内箱の前面を覆って閉じた状態が維持され、また前記外箱が前記内箱に対して傾いて開いた状態が維持されるようになっているので、収納箱の開閉は外箱の回動により行われ、開閉装置自体を特に大きくすることなく、開閉装置に収納箱を組み入れることができる。
また、開閉状態をそれぞれ維持する係合部および被係合部は外部に露出してなく、美観上優れている。
【００１８】
また、被係合部は突出した支持ピンであり、係合部はこの支持ピンと当接する爪部であるので、簡単な構成で被係合部および係合部を形成することができる。
【００１９】
また、爪部の端部に支持ピンと係止される鈎部が形成されているので、外箱は所定の角度回動して収納箱が開いた状態が確実に維持される。
【００２０】
また、外箱と爪部とは同一金属板で一体的に形成されているので、単一金属板を折曲加工することで、簡単に爪部を有する外箱を製作することができる。
【図面の簡単な説明】
【図１】  この発明の収納箱が組み込まれた開閉装置の正面図である。
【図２】  図１の開閉装置の側断面図である。
【図３】  図２の外箱の斜視図である。
【図４】  図２の内箱の斜視図である。
【図５】  収納箱が取り付けられる前の扉の正面図である。
【図６】  ケーブル室の前面に取り付けられた扉の正面図である。
【図７】  図２の収納箱が閉じた状態の側断面図である。
【図８】  図２の収納箱が開いた状態の側断面図である。
【図９】  収納箱の外箱の回動に伴い移動する爪部の様子を示す図である（外箱が閉じているとき）。
【図１０】  収納箱の外箱の回動に伴い移動する爪部の様子を示す図である（外箱が回動途中のとき）。
【図１１】  収納箱の外箱の回動に伴い移動する爪部の様子を示す図である（外箱が開いたとき）。
【図１２】  従来の収納箱の斜視図である。
【図１３】  図１２の収納箱の側面図である。
【符号の説明】
１  外箱、２  内箱、３  爪部（係合部）、４  支持ピン（被係合部）、５  扉。
【図１】
0004629267.tif 000002
【図２】
0004629267.tif 000003
【図３】
0004629267.tif 000004
【図４】
0004629267.tif 000005
【図５】
0004629267.tif 000006
【図６】
0004629267.tif 000007
【図７】
0004629267.tif 000008
【図８】
0004629267.tif 000009
【図９】
0004629267.tif 000010
【図１０】
0004629267.tif 000011
【図１１】
0004629267.tif 000012
【図１２】
0004629267.tif 000013
【図１３】
0004629267.tif 000014